(57)【要約】【課題】  高層建築物に十分な水圧の高圧洗浄水を簡単に供給することができるようになる高層建築物の高圧洗浄装置を提供する。【解決手段】  高層建築物１に、地下階３から最上階５に至るまで、ストレート形状の高圧水用メインパイプ７を、ほぼ真っ直ぐに伸びるように配置する。高圧水用メインパイプ７の下端部に、入り口接続パイプ１１を形成し、また、高さ方向複数個所で供給口接続パイプ１５を設けておく。入り口接続パイプ１１から、高圧水用メインパイプ７を通って供給口接続パイプ１５に高圧水を導く。【選択図】    図１
2006225993.tif 000002
【特許請求の範囲】
【請求項１】
高層建築物の高圧洗浄設備であって、
高さ方向に延びるように高層建築物に配置された高圧水用メインパイプと、
この高圧水用メインパイプに設けられた、前記高層建築物の洗浄区域に高圧水を供給するための供給口部と、
前記高圧水用メインパイプに設けられた、高圧洗浄装置の高圧水送り出し口に連結される高圧水入り口部と、を備え、
前記供給口部は、前記高圧水用メインパイプに、高さ方向複数箇所で設けられていて、
前記高圧水入り口部は、前記高層建築物の地下階又は地上階の低い階に配置されている、ことを特徴とする高層建築物の高圧洗浄設備。
【請求項２】
前記高層建築物は３０ｍを超える高さを有し、前記高圧洗浄装置は高圧洗浄車である、ことを特徴とする請求項１記載の高層建築物の高圧洗浄設備。
【請求項３】
前記高圧水用メインパイプは、複数本のパイプ部材を高さ方向に連結することにより形成されていて、
前記供給口部は、前記パイプ部材間の連結部に設けられている、ことを特徴とする請求項１又は２記載の高層建築物の高圧洗浄設備。
【発明の詳細な説明】
【技術分野】
【０００１】
本発明は、例えば３０ｍを超えるような高層建築物に洗浄用の高圧水を供給するための高層建築物の高圧洗浄設備に関する。
【背景技術】
【０００２】
高層建築物では、定期的に排水管を上から下まで全長にわたって清掃しなければならない。高層建築物の排水管の清掃には種々の方法が用いられているが、フレキシブルワイヤ清掃工法（例えば特許文献１参照）と高圧洗浄工法（例えば特許文献２参照）とを併用して清掃を行う場合が最も一般的である。フレキシブルワイヤ清掃工法に用いる清掃装置は、比較的軽量であり、建築物内を又は建築物に沿って移動させるのに特に障害が生じるといったことはなく、しかも、建築物内のＡＣ１００Ｖの電源を用いることができるものである。しかしながら、高圧洗浄工法に用いる高圧洗浄装置（例えば高圧洗浄車）は、大型であり重量が重く、安全上の観点から建築物の２階以上の階層に持ち込むことが禁止される場合も多い。しかも、電動モータ駆動の高圧洗浄装置では、一般的にＡＣ２００Ｖの電源が用いられるので、建築物から電源を確保することが困難であり、したがって、ガソリンエンジン又はディーゼルエンジン駆動の高圧洗浄装置が多く用いられているが、ガソリンエンジン又はディーゼルエンジンは、騒音及び振動を発生させ、排気ガスを排出する。したがって、高圧洗浄装置は、この観点からも建築物の２階以上の階層に持ち込むことが制約される。
【０００３】
そこで、高圧洗浄工法を用いる場合には、高圧洗浄装置を建築物の地下又は１階に設置し、高圧洗浄装置から高圧水ホースを用いて洗浄個所に高圧水を供給している。高圧水ホースは通常、建築物内、例えば建築物内の階段を複雑に湾曲しながら、場合によっては手摺などに巻かれるようにして、高層階に導かれることとなる。
【０００４】
【特許文献１】特開平０６−２４０７１８号公報
【特許文献２】実公平０３−５５６７０号公報
【発明の開示】
【発明が解決しようとする課題】
【０００５】
ところで、建築物の高さが３０ｍ程度であれば、高圧洗浄装置から高圧水ホースを通って高圧水を建造物の最上階まで支障なく供給することができるが、建築物の高さが３０ｍを大きく超えるような場合には、高圧水ホースが複雑に湾曲しているために、高圧水ホースの流体抵抗が大きくなり、高層階では洗浄時に必要な水圧を得ることができなくなってしまう。しかも、建築物の高さが高くなると、高圧水ホースの配置作業に長時間を要するようになり、清掃作業を迅速に完了させることが難しくなってしまう。
【０００６】
そこで本発明は、高層建築物に十分な水圧の高圧洗浄水を簡単に供給することができるようになる高層建築物の高圧洗浄設備の提供を目的とする。
【課題を解決するための手段】
【０００７】
この目的を達成するための本発明の高層建築物の高圧洗浄設備は、高層建築物の高圧洗浄設備であって、高さ方向に延びるように高層建築物に配置された高圧水用メインパイプと、この高圧水用メインパイプに設けられた、前記高層建築物の洗浄区域に高圧水を供給するための供給口部と、前記高圧水用メインパイプに設けられた、高圧洗浄装置の高圧水送り出し口に連結される高圧水入り口部と、を備え、前記供給口部は、前記高圧水用メインパイプに、高さ方向複数箇所で設けられていて、前記高圧水入り口部は、前記高層建築物の地下階又は地上階の低い階に配置されているものである。高圧水用メインパイプは、ストレートに又はほぼストレートに上方に向かって延びるように、例えば高層建築物内に配置される。したがって、高圧水用メインパイプの流体抵抗は小さい。そこで、高層建築物の地下階又は地上階の低い階に設置され、高圧水入り口部と連結された高圧洗浄装置から、この高圧水用メインパイプを介して、高層建築物の最上階にも、十分高圧な洗浄水を供給口部を通して供給することが可能となる。また、高圧洗浄作業を行う場合に、建築物の低い階から高い階にまでホースを運んで洗浄配管を構成するといった必要はなくなる。高圧水入り口部は、例えば高圧水用メインパイプの下端部に設けられる。供給口部は任意階に設けることができる。
【０００８】
本発明の高層建築物の高圧洗浄設備は、特に、高圧洗浄車を用いて、３０ｍを超える高さの高層建築物を高圧洗浄する場合に有効である。
【０００９】
高圧水用メインパイプは、複数本のパイプ部材を高さ方向に連結することにより形成することができる。この場合には、パイプ部材間の連結部に、例えばパイプ部材同士を連結するジョイントに、供給口部を設けておけば、パイプ設備を簡単に構成することができる。
【発明の効果】
【００１０】
以上説明したように、本発明によれば、高圧洗浄装置を、予め配置されている高圧水用メインパイプに接続し、洗浄に必要な高圧水をこの高圧水用メインパイプを介して高層建築物に供給することができる。
【発明を実施するための最良の形態】
【００１１】
以下、本発明の実施の形態を図面を参照して説明する。
【００１２】
図１は本発明に係る高層建築物の高圧洗浄設備の構成を示す概念図である。
【００１３】
高層建築物１には、地下階３から最上階５に至るまで、ストレート形状の高圧水用メインパイプ７がほぼ真っ直ぐに延びるように配置されていて、この高圧水用メインパイプ７は樹脂製であり、内径１２．７ｍｍ以上に形成されている。高圧水用メインパイプ７は、高層建築物１のパイプスペース又は他のスペースを利用して配置されているが、高圧水用メインパイプ７の下端部には、地下階３に位置するように、入り口バルブ９を有する入り口接続パイプ１１（高圧水入り口部）が設けられている。高圧水用メインパイプ７にはまた、所定の階層に対応して、供給バルブ１３を有する供給口接続パイプ１５（供給口部）が高さ方向に複数設けられているが、供給口接続パイプ１５を地上各階層に対応して設けることもできる。
【００１４】
図２は高層建築物１に高圧水を供給する場合を説明するための図である。
【００１５】
高層建築物１に高圧洗浄を施す場合には、高層建築物１の地下階３に高圧洗浄車１７（高圧洗浄装置）を運び入れる。高圧洗浄車１７に搭載された駆動源は、例えばガソリンエンジンとすることができる。そして、高圧洗浄車１７の圧送ホース１９（圧送ホス１９の接続口は高圧水送り出し口に該当）を高圧水用メインパイプ７の入り口接続パイプ１１に接続する。また、高圧水用メインパイプ７の、高圧洗浄個所に近い供給口接続パイプ１５に供給ホース２１を接続する。このようにしてから、入り口接続パイプ１１の入り口バルブ９を開放し、かつ、供給ホース２１が接続されている供給口接続パイプ１５の供給バルブ１３を開放して、供給ホース２１から高圧洗浄個所に高圧水を供給する。このようにして、例えば器具排水管、排水横管、排水立て管及び排水横主管の清掃を実施することができる。高圧水用メインパイプ７は、５０ｍ乃至１００ｍの長さのものを、例えば連結して、使用する。あるいは、１０ｍ乃至１５ｍの長さのパイプ部材２３を、ジョイント２５を介して次々に連結して高圧水用メインパイプ７を形成する。そして、ジョイント２５としては、供給口接続パイプ１５が設けられているのを用いる。なお、最も上側の供給口接続パイプ１５は、高圧水用メインパイプ７の上端に取り付けられた上側栓部材２７に設けられ、入り口接続パイプ１１は、高圧水用メインパイプ７の下端に取り付けられた下側栓部材２９に設けられている。また、高圧水用メインパイプ７の最高使用圧力は、３０Ｍｐａ以上であることが好ましい。
【００１６】
高圧洗浄個所を移動させる場合には、供給ホース２１が接続された供給口接続パイプ１５の供給バルブ１３を閉じ、新たな高圧洗浄個所に近い供給口接続パイプ１５に供給ホース２１を接続する。そして、この供給口接続パイプ１５の供給バルブ１３を開放して、供給ホース２１から高圧洗浄個所に高圧水を供給する。
【産業上の利用可能性】
【００１７】
本発明の高層建築物の高圧洗浄設備は、高層オフィスビル、高層集合住宅などに構成されて高圧洗浄の適用を容易にする。
【図面の簡単な説明】
【００１８】
【図１】本発明に係る高層建築物の高圧洗浄設備の構成を示す概念図である。
【図２】高層建築物に高圧水を供給する場合を説明するための図である。
【符号の説明】
【００１９】
１                        高層建築物
７                        高圧水用メインパイプ
１１                        入り口接続パイプ（高圧水入り口部）
１５                        供給口接続パイプ（供給口部）
１７                        高圧洗浄車（高圧洗浄装置）
１９                        圧送ホース（高圧水送り出し口）
【図１】
2006225993.tif 000003
【図２】
2006225993.tif 000004